(57)【特許請求の範囲】
【請求項１】
撮像素子を有するビデオスコープが接続されるとともに前記撮像素子から読み出される画像信号を処理する電子内視鏡装置のプロセッサであって、
交換可能な回路基板であって、基板のヴァージョンを示す基板データが格納されるヴァージョン情報メモリを有する少なくとも１枚の回路基板と、
前記ヴァージョン情報メモリから前記基板データを読み出すヴァージョン情報読み出し手段と、
読み出された前記基板データに基いて、前記プロセッサに接続される表示装置に前記基板のヴァージョンを表示するヴァージョン情報表示手段と、
バックアップ用電源と、
前記ヴァージョン情報メモリから前記基板データを読み出すための専用バスと、
プロセッサ作動不能の場合、前記バックアップ用電源から前記ヴァージョン情報メモリ、ヴァージョン情報読み出し手段およびヴァージョン情報表示手段へ電源を供給する非常用電源供給手段とを備え、
前記表示装置が、前記基板のヴァージョンを表示するための専用ディスプレイであって、
前記ヴァージョン情報読み出し手段が、前記ヴァージョン情報メモリから前記専用バスを介して前記基板データを読み出し、
前記ヴァージョン情報表示手段が、前記基板のヴァージョンを前記専用ディスプレイに表示することを特徴とする電子内視鏡装置のプロセッサ。
【請求項２】
観察対象の映像を表示するモニタが前記電子内視鏡装置のプロセッサに接続され、
前記ヴァージョン情報表示手段が、プロセッサ正常作動時、前記基板のヴァージョンを前記モニタへ表示することを特徴とする請求項１に記載の電子内視鏡装置のプロセッサ。
【請求項３】
前記ビデオスコープが、前記ビデオスコープの特性に関するスコープ情報がデータとして格納されるスコープメモリを有し、
前記ヴァージョン情報表示手段が、前記基板のヴァージョンとともに、前記スコープ情報を前記モニタに表示させることを特徴とする請求項２に記載の電子内視鏡装置のプロセッサ。
【請求項４】
前記ヴァージョン情報読み出し手段が、プロセッサ正常作動時、前記専用バスを介して前記基板データを読み出すことを特徴とする請求項１に記載の電子内視鏡装置のプロセッサ。
【請求項５】
前記基板のヴァージョンが、基板のファームウェアのヴァージョンを含むことを特徴とする請求項１から請求項４のいずれかに記載の電子内視鏡装置のプロセッサ。
【請求項６】
前記ヴァージョン情報表示手段が、読み出された基板データを基板文字データに変換する版管理制御回路を有することを特徴とする請求項１に記載の電子内視鏡装置のプロセッサ。
【請求項７】
撮像素子を有するビデオスコープが接続されるとともに前記撮像素子から読み出される画像信号を処理する電子内視鏡装置のプロセッサであって、
交換可能な回路基板であって、基板のヴァージョンを示す基板データを格納したヴァージョン情報メモリを有する少なくとも１枚の回路基板と、
バックアップ用電源と、
前記ヴァージョン情報メモリから前記基板データを読み出すための専用バスと、
プロセッサ作動不能の場合、前記ヴァージョン情報メモリから前記専用バスを介して前記基板データを読み出し、前記基板のヴァージョンを表示するための専用ディスプレイへ前記基板のヴァージョンを表示する版管理制御回路と、
プロセッサ作動不能の場合、前記バックアップ用電源から前記版管理制御回路へ電源を供給する非常用電源供給回路と
を備えたことを特徴とする電子内視鏡装置のプロセッサ。
【請求項８】
電子内視鏡装置のプロセッサ内に設置される交換可能な少なくとも１枚の回路基板の基板ヴァージョンを管理する内視鏡用版管理システムであって、
前記少なくとも１枚の回路基板のヴァージョンが基板データとして格納されたヴァージョン情報メモリから前記基板データを読み出すヴァージョン情報読み出し手段と、
読み出された前記基板データに基いて、前記基板ヴァージョンを前記プロセッサに接続される表示装置に表示するヴァージョン情報表示手段とを備え、
プロセッサ作動不能の場合、前記ヴァージョン情報読み出し手段が、バックアップ用電源から供給される電源に基づき、前記ヴァージョン情報メモリから前記基板データを読み出すための専用バスを介して、前記基板データを前記ヴァージョン情報メモリから読み出し、そして、前記ヴァージョン情報表示手段が、バックアップ用電源から供給される電源に基づき、前記基板ヴァージョンを前記表示装置に表示することを特徴とする内視鏡用基板の版管理システム。
【発明の詳細な説明】
【０００１】
【発明の属する技術分野】
本発明は、撮像素子を有するビデオスコープ（電子スコープ）と、ビデオスコープが接続されるとともに撮像素子から読み出される画像信号を処理するプロセッサとを備えた電子内視鏡装置に関し、特に、信号処理、電源供給等をするためプロセッサ内に設けられた回路基板のヴァージョン（版）情報管理に関する。
【０００２】
【従来の技術】
従来の電子内視鏡装置のプロセッサには、画像信号を処理する信号処理回路や、プロセッサ全体を制御するシステムコントロール回路などが１枚の回路基板、あるいはそれぞれ専用の回路基板に配設されており、１枚または複数の回路基板がプロセッサ内に搭載されている。
【０００３】
電子内視鏡装置の製造会社は、病院などのエンドユーザに電子内視鏡装置を出荷する前に、そのプロセッサに配設される回路基板のヴァージョンをあらかじめ登録し、基板管理用のデータベースを作成し、電子内視鏡装置のプロセッサの機種毎或いは製品毎に適正な回路基板構成を把握・参照できるようにしている。このことにより、エンドユーザが使用している間にプロセッサが何らかの原因で故障した場合、製造会社はそのプロセッサを取り寄せ、基板管理用のデータベースに登録された該プロセッサに対応した回路基板のヴァージョンに基いて基板交換などの修理を行うことができる。
【０００４】
【発明が解決しようとする課題】
しかしながら、製造会社が電子内視鏡装置の製造のみを行い、メンテナンスサービス会社が電子内視鏡装置の機器メンテナンスの業務を行う分業化の傾向が見られる昨今では、エンドユーザがメンテナンスサービス会社に電子内視鏡装置の修理を頼んだ場合、メンテナンスサービス会社独自の判断によりプロセッサの回路基板が交換され、適正なヴァージョンとは異なるヴァージョンの回路基板への変更が製造業会社の知らない所で行われる可能性がある。誤った回路基板変更を原因としてプロセッサが作動不能に陥った場合、最終的に製造会社に持ち込んで電子内視鏡装置を修理しなければならず、また、あらかじめ登録していたヴァージョンと異なるヴァージョンの回路基板が使用されていると他の正常な回路基板にも派生的な故障が発生している場合がある。このとき、ヴァージョン情報が不明確であることによって、作動不能の原因究明・修理に手間がかかり、混乱を招く。
【０００５】
また、近年では、ＣＣＤ画素数のメガピクセル化や信号処理回路のデジタル高速処理化などにより、ビデオスコープ内の構成、信号処理回路が従来のビデオスコープの構成と大きく異なっている。そのため、ある特定の回路基板を備えたプロセッサに対し、使用できるビデオスコープと使用できないビデオスコープが存在する事態が生じているが、実際にビデオスコープを接続してみないと、使用可能であるか否かわからない。
【０００６】
そこで本発明では、電子内視鏡装置に設けられた回路基板のヴァージョン情報を随時知ることができ、効果的に回路基板の版管理を行うことができる電子内視鏡装置のプロセッサ、内視鏡用基板の版管理システム、内視鏡用基板の版管理方法を得ることを目的とする。
【０００７】
【課題を解決するための手段】
本発明の電子内視鏡装置のプロセッサは、撮像素子を有するビデオスコープが接続されるとともに撮像素子から読み出される画像信号を処理する内視鏡用プロセッサである。プロセッサには、交換可能な回路基板が少なくとも１枚設けられている。例えば、システムコントロール回路、ＣＣＤプロセス回路、Ａ／Ｄ変換器などがそれぞれ配設される複数の回路基板がプロセッサ内に設けられる。さらに、絞り制御用回路、光源駆動用回路が配設される回路基板などが専用に設けられていてもよい。各回路基板は、基板のヴァージョンを示す基板データが格納されるヴァージョン情報メモリを有する。ここで、基板のヴァージョンの違いとは、その基板に配設されているＩＣチップ（システムコントロール回路、ＣＣＤプロセス回路など）のヴァージョン情報の違いや回路構成の違いなどを意味する。基板データは、製造時にあらかじめヴァージョン情報メモリに格納すればよい。本発明のプロセッサは、ヴァージョン情報読み出し手段と、ヴァージョン情報表示手段とを備える。ヴァージョン情報読み出し手段は、ヴァージョン情報メモリから基板データを読み出す。ヴァージョン情報表示手段は、読み出された基板データに基いて、プロセッサに接続される表示装置に基板のヴァージョンを表示する。その結果、各回路基板のヴァージョン情報（例えば、システムコントロール回路・Ｖｅｒ１．１など）が表示装置に表示される。
【０００８】
本発明によれば、製造会社はヴァージョン情報を随時検索することができ、効果的に回路基板の版管理を行うことができ、メンテナンスサービス会社が回路基板を変更しても、混乱することなくプロセッサの修理を効果的に行うことができる。また、ビデオスコープを接続しなくても、基板のヴァージョンを検索することによって今から使用するビデオスコープがプロセッサに適用可能か知ることができる。なお、ＰＲＯＭなどのプログラム変更可能なＲＯＭ、すなわちファームウェアが回路基板に配設されている場合、ファームウェアのヴァージョンも表示するのが好ましい。
【０００９】
プロセッサが正常に作動する状態で基板のヴァージョンを検索する場合、電子内視鏡装置の構成の簡素化を図ることから、観察部位の映像を表示させるモニタにヴァージョンを表示させるのが好ましい。この場合、ヴァージョン情報表示手段が基板のヴァージョンをモニタへ表示させる。
【００１０】
プロセッサのみならず、製造会社の知らないところでビデオスコープ内の回路基板等が交換修理されている場合あり、ビデオスコープおよびプロセッサのヴァージョン情報を確実に管理して、効果的に修理を行う必要性がある。ビデオスコープに関する情報をプロセッサの基板ヴァージョンと同時に検索できるようにするため、ヴァージョン情報表示手段は、基板のヴァージョンとともにスコープ情報をモニタに表示させるのが好ましい。多くのビデオスコープには、ビデオスコープの特性に関するスコープ情報がデータとして格納されたスコープメモリ（例えば、ＥＥＥＰＲＯＭなど）が設けられており、例えば、スコープがプロセッサに接続された場合、スコープ情報を読み出して、ＲＡＭなどに一時的に格納すればよい。スコープ情報データと基板データからモニタへスコープ情報と基板のヴァージョンがモニタへ表示される。
【００１１】
不適切な回路基板の変更などが原因により、プロセッサが正常に作動せず、操作不能に陥る場合がある。このような場合においても、修理、改善において基板のヴァージョンを知る必要性がある。正常に作動しない状態でも基板のヴァージョンを検索できるようにするため、プロセッサは、バックアップ用電源と、ヴァージョン情報メモリから基板データを読み出すための専用バスと、プロセッサ作動不能の場合、バックアップ用電源からヴァージョン情報メモリ、ヴァージョン情報読み出し手段およびヴァージョン情報表示手段へ電源を供給する非常用電源供給手段とを有することが好ましい。バックアップ用電源として、例えば電池が設けられる。表示装置としては、基板のヴァージョンを表示するための専用ディスプレイがプロセッサに接続される。ヴァージョン情報読み出し手段は、ヴァージョン情報メモリから専用バスを介して基板データを読み出す。そして、ヴァージョン情報表示手段は、基板のヴァージョンを専用ディスプレイに表示する。回路基板に商用電源から電源電圧が供給されず、モニタ表示することが不可能な状態になっても、ヴァージョン情報メモリから専用バスを通じて基板データを読み出し、専用ディスプレイに表示される基板のヴァージョンに基いて、効果的に修理、修繕を行うことができる。
【００１２】
本発明の他の局面における電子内視鏡装置のプロセッサは、撮像素子を有するビデオスコープが接続されるとともに撮像素子から読み出される画像信号を処理する電子内視鏡装置のプロセッサであり、観察対象の映像が表示されるとともに、基板のヴァージョンが表示されるモニタが接続される。プロセッサは、交換可能な回路基板であって、基板のヴァージョンを示す基板データを格納したヴァージョン情報メモリを有する少なくとも１枚の回路基板と、ヴァージョン情報メモリから基板データを読み出し、モニタへ基板のヴァージョンが表示可能となるように、基板データを基板文字データに変換する版管理制御回路とを備えたことを特徴とする。このプロセッサは、正常にプロセッサが作動する場合に版管理を行うためのプロセッサである。
【００１３】
一方、プロセッサが正常に作動しない場合に版管理を行う本発明の他の局面におけるプロセッサは、撮像素子を有するビデオスコープが接続されるとともに撮像素子から読み出される画像信号を処理する電子内視鏡装置のプロセッサであって、基板のヴァージョンを表示するための専用ディスプレイが接続される。プロセッサは、交換可能な回路基板であって、基板のヴァージョンを示す基板データを格納したヴァージョン情報メモリを有する少なくとも１枚の回路基板と、バックアップ用電源と、ヴァージョン情報メモリから基板データを読み出すための専用バスと、プロセッサ作動不能の場合、ヴァージョン情報メモリから専用バスを介して基板データを読み出し、専用ディスプレイへ基板のヴァージョンを表示する版管理制御回路と、プロセッサ作動不能の場合、バックアップ用電源から版管理制御回路へ電源を供給する非常用電源供給回路とを備えたことを特徴とする。
【００１４】
本発明の内視鏡用基板の版管理システムは、電子内視鏡装置のプロセッサ内に設置される少なくとも１枚の回路基板の基板ヴァージョンを管理する内視鏡用版管理システムである。版管理システムは、交換可能な少なくとも１枚の回路基板のヴァージョンが基板データとして格納されたヴァージョン情報メモリから基板データを読み出すヴァージョン情報読み出し手段と、読み出された基板データに基いて、基板ヴァージョンをプロセッサに接続される表示装置に表示するヴァージョン情報表示手段とを備えたことを特徴とする。
【００１５】
本発明の内視鏡用基板の版管理方法は、電子内視鏡装置のプロセッサ内に設置される少なくとも１枚の回路基板の基板ヴァージョンを管理する内視鏡用版管理方法であって、交換可能な少なくとも１枚の基板に設けられる基板ヴァージョンが基板データとして格納されたヴァージョン情報メモリから基板データを読み出すステップと、読み出された基板データに基いて、基板ヴァージョンをプロセッサに接続される表示装置に表示するステップとを含むことを特徴とする。
【００１６】
【発明の実施の形態】
以下では、図面を参照して本発明の実施形態である電子内視鏡装置について説明する。
【００１７】
図１は、本実施形態である電子内視鏡装置のブロック図である。
【００１８】
電子内視鏡装置は、ビデオスコープ１０と、ビデオスコープ１０が着脱自在に接続されるプロセッサ２０とを備え、プロセッサ２０には、観察対象である観察部位Ｓの映像を表示するためのモニタ５０および患者情報の入力等するための入力装置であるキーボード５１が接続される。胃など臓器内の検査、手術が開始されると、ビデオスコープ１０が体内へ挿入される。
【００１９】
プロセッサ２０内には、観察部位Ｓを照明するための光源ランプ２２が設けられており、光源ランプ２２から放射された光は、絞り２４、集光レンズ２６を介してライトガイド１４の入射端１４Ａに入射する。ライトガイド１４は、光源ランプ２２からの光を観察部位Ｓまで伝達するための光ファイバ束であり、ビデオスコープ１０のプロセッサ側から先端部まで続いている。ライトガイド１４の入射端１４Ａに入射した光は、ライトガイド１４を通って出射端１４Ｂから射出する。射出した光は、拡散レンズである配光レンズ（図示せず）を介してビデオスコープ１０の先端部から射出する。これにより、観察部位Ｓが光に照射される。
【００２０】
照射された光は観察部位Ｓにおいて反射し、先端部１２にある対物レンズ（図示せず）を通ってＣＣＤなどの撮像素子１２に到達する。これにより、観察部位Ｓの像（被写体像）が撮像素子１２に形成されるとともに、撮像素子１２において被写体像に応じたアナログの画像信号が発生する。本実施形態では、撮像方式として、赤色（Ｒ）、緑色（Ｇ）、青色（Ｂ）からなるカラーモザイクフィルタ（図示せず）を撮像素子上に配置した単板同時方式が適用されており、１フレーム（１フィールド）分の画像信号が所定の時間間隔で撮像素子からまとめて読み出され、ＣＣＤプロセス回路２８へ送られる。
【００２１】
ＣＣＤプロセス回路２８では、増幅処理やノイズ除去などの処理が画像信号に対して施される。処理された画像信号は、Ａ／Ｄ変換器３０へ送られ、アナログの画像信号がデジタルの画送信号に変換される。デジタルの画像信号はＲ、Ｇ、Ｂにそれぞれ応じた信号に分離され、Ｒメモリ３２、Ｇメモリ３４、Ｂメモリ３６に一時的に格納される。Ｒ、Ｇ、Ｂに応じた画像信号はそれぞれＤ／Ａ変換器３８に送られ、再びアナログの画像信号に変換される。アナログ画像信号はビデオプロセス回路４０に送られるとＮＴＳＣ信号などの映像信号に変換され、モニタ５０に出力される。これにより、観察部位Ｓの映像がモニタ５０に表示される。なお、各回路の信号の入出力タイミングは、タイミングジェネレータ（図示せず）によって調整されており、カラーテレビジョン方式（ＮＴＳＣ方式など）に従って入出力タイミングが調整される。
【００２２】
ビデオスコープ１０内部には、撮像素子１２の画素数などのビデオスコープ１０の特性に関するデータ（スコープ情報）があらかじめ格納されたＥＥＰＲＯＭ１５が設けられており、ビデオスコープ１０がプロセッサ２０に接続されると、ビデオスコープ１０の特性に関するデータがＥＥＰＲＯＭ１５から読み出され、システムコントロール回路４２へ送られる。システムコントロール回路４２は、プロセッサ２０の動作を制御する回路であり、プロセッサ内の各回路に制御信号を送る。システムコントロール回路４２には、キーボード５１、フロントパネルスイッチ４３、ビデオスコープ１０に設けられた操作スイッチ１６などの入力装置が接続され、オペレータの操作より、それぞれの入力信号がシステムコントロール回路４２へ送られる。この入力信号に基き、制御信号がシステムコントロール回路４２から出力される。
【００２３】
また、システムコントロール回路４２にはモニタ５０に文字情報を表示するためのキャラクタ信号生成回路（ここでは図示せず）が設けられており、文字コードデータに基いてキャラクタ信号が生成され、ビデオプロセス回路４０を経由してモニタ５０へ所定のタイミングで送られる。これにより、文字情報が単独でモニタ５０の所定の位置に表示されるか、あるいは、ビデオプロセス回路４０で映像信号にスーパーインポーズされることによって映像信号とともに文字情報が表示される。
【００２４】
システムコントロール回路４２には、回路基板のヴァージョン情報を管理する版管理コントローラ４６が接続されており、版管理コントローラ４６には、ヴァージョン情報を表示するための専用ディスプレイ４７が接続されるともに、専用ディスプレイへの表示を実行させるための版管理専用スイッチ５７が接続される。また、プロセッサ１０内の各回路に電源を供給する電源回路３７は版管理コントローラ４６に接続されており、電源電圧は版管理コントローラ４６を経由して各回路へ供給される。
【００２５】
絞り２４は、観察部位Ｓに照射される光の光量を調整し、モータ４４の駆動によって開閉する。撮像素子から読み出された画像信号がシステムコントロール回路４２へ送られると、１フレーム分の平均輝度値が画像信号に基いて順次算出される。平均輝度値と基準となる参照値との差に基いて制御信号がモータ４４送られ、被写体像の明るさが一定となるように絞り２４が開閉する。
【００２６】
図２は、プロセッサ２０内の回路基板の設置を模式的に示した図である。
【００２７】
プロセッサ２０内のシステムコントロール回路４２、ＣＣＤプロセス回路２８、Ａ／Ｄ変換器３０などの回路はそれぞれ、主に１つの集積回路（ＩＣ）によって構成されている。また、システムコントロール回路４２、ＣＣＤプロセス回路２８、Ａ／Ｄ変換器３０はそれぞれ、回路基板Ｂ１、回路基板Ｂ２、回路基板Ｂ３といったように別々の基板に配設されている。本実施形態では、Ｎ（Ｎ＞３）枚の回路基板がプロセッサ１０内に設けられているが、ここでは他の回路が配設された回路基板は図示しない。
【００２８】
プロセッサ２０の筐体内において、回路基板Ｂ１、Ｂ２、Ｂ３は、基板を設置するバックプレーンＢＰに並んで立て掛けられており、各回路基板間を繋ぐバス（図示せず）に接続するため、基板実装用コネクタのスロット（図示せず）に差し込まれる構成になっている。回路基板Ｂ１、Ｂ２、Ｂ３上にはヴァージョン情報メモリＭ１、Ｍ２、Ｍ３が配設されており、それぞれ各基板のヴァージョン情報が基板データとして格納されている。図示しない回路基板上にも、基板データが格納されたヴァージョン情報メモリが設けられる。ただし、基板のヴァージョン情報は、その基板に配設されているシステムコントロール回路４２、ＣＣＤプロセス回路２８などの集積回路や回路構成に関わるヴァージョン情報を意味する。言い換えると、同じ系列の回路基板（例えばＢ１）でヴァージョン情報が互いに異なる回路基板の間では、基板に実装された集積回路のバージョンの違いや回路構成の違い（回路定数の違いも含む）が有ることを意味する。プロセッサの修理等において、ある特定の回路基板に不具合があって交換が必要な場合、まず、後述するように特定の回路基板についてヴァージョンを検索する作業が行われてから、バックプレーンＢＰからその回路基板が取り外され、同様の基板データが格納されたヴァージョン情報メモリのある正常動作する回路基板が代わりに設置される。
【００２９】
バックプレーンＢＰ上に設けられた版管理コントローラ４６とヴァージョン情報メモリＭ１、Ｍ２、Ｍ３およびその他図示しないヴァージョン情報メモリとの間は、ヴァージョン情報専用のバスＴＢによって接続されており、基板データは専用バスＴＢを経由して版管理コントローラ４６へ送られる。
【００３０】
図３は、システムコントロール回路４２の配設された回路基板Ｂ１および版管理コントローラ４６を詳細に示したブロック図である。
【００３１】
回路基板Ｂ１のシステムコントロール回路４２内には、ＣＰＵ（Central Processor Unit）６２、ＰＲＯＭ  (Programmable Read Only Memory) ６４、ＲＡＭ  (Random Access Memory)６６、シリアルインターフェイス６８、Ｄｉｇｉｔａｌ  Ｉ／Ｏ７０などが設けられ、各回路間のデータの送受信はローカルバスＬＢを介して行われる。また、上述したように、システムコントロール回路４２には、文字コードデータに基いてキャラクタ信号を生成するキャラクタ信号生成回路６９が設けられており、表示される文字フォントに応じたキャラクタ信号がビデオプロセス回路４０へ出力される。
【００３２】
版管理コントローラ４６には、電源監視回路５２およびワンチップマイコンの版管理制御回路５４が設けられており、版管理制御回路５４は、文字コード生成回路およびＬＣＤドライバ（ともに図示せず）を備えている。版管理制御回路５４は、Ｎ枚の回路基板Ｂ１、Ｂ２、Ｂ３・・のヴァージョン情報メモリＭ１、Ｍ２．Ｍ３・・それぞれと専用バスＴＢを介して接続されるとともに、システムコントロール回路４２内のシリアルインターフェイス６８と接続される。また、電源監視回路５２は電源供給回路３７と接続される。
【００３３】
図４は、電源監視回路５２内のブロック図である。
【００３４】
電源監視回路５２には、電源電圧検出素子５５およびｐｎｐ型トランジスタＴＲ１、ｎｐｎ型トランジスタＴＲ２、電池５３が設けられている。電源供給回路３７から供給される電源電圧Ｖｃｃに基いて、ヴァージョン情報メモリＭ１、Ｍ２、Ｍ３・・・を除いた各回路基板の各回路へ電源電圧Ｖａｃが供給される。一方、ヴァージョン情報メモリＭ１、Ｍ２、Ｍ３・・には、電源電圧Ｖｄｃが供給される。
【００３５】
電源電圧検出素子５５では、電源電圧Ｖａｃが各回路へ供給されているか否かが判断され、プロセッサが正常に作動しないなどの原因で電源電圧Ｖａｃが供給されずに所定の電圧値以下になった場合、ｐｎｐ型トランジスタＴＲ１がＯＦＦとなり、バックアップ電源である電池５３から電源電圧Ｖｄｃが版管理制御回路５４およびヴァージョン情報メモリＭ１、Ｍ２、Ｍ３・・・に供給される。
【００３６】
次に、図５、６、７を用いて、プロセッサ２０が正常に作動し、操作可能である場合（以下では、正常作動時という）におけるヴァージョン情報表示処理について説明する。図５は、ヴァージョン情報表示の処理フローを示した図であり、図６は、プロセッサ２０の正常作動時におけるシステムコントロール回路４２および版管理コントローラ４６のブロック図である。図７は、ヴァージョン情報の表示画面を示した図である。ただし、図６では、回路基板Ｂ１のみ表す。
【００３７】
プロセッサ２０の正常作動時においては、電源回路３７から供給される電源電圧Ｖｃｃに基き、電源監視回路５２を経由してシステムコントロール回路４２などの各回路に電源電圧Ｖａｃが供給され、ヴァージョン情報メモリＭ１、Ｍ２、Ｍ３・・・に電源電圧Ｖｄｃが供給される（図６参照）。ビデオスコープ１０がプロセッサ２０に接続された状態でキーボード５１に対して所定の操作が行われると、ヴァージョン情報表示処理が実行開始される。
【００３８】
キーボード５１が操作されると、版管理制御回路５４はＮ個あるヴァージョン情報メモリＭ１、Ｍ２、・・にアクセスする。これにより、ヴァージョン情報の基板データが専用バスＴＢを介して版管理制御回路５４へ送られる（Ｓ１０１）。Ｎ枚の回路基板と接続される専用バスＴＢは版管理制御回路５４のチップセレクト端子ＣＳ１、ＣＳ２、・・・ＣＳｎに接続されており、チップセレクト端子ＣＳ１〜ＣＳｎをそれぞれローアクティブにすることによってＮ個のヴァージョン情報メモリＭ１、Ｍ２・・・がアクセスされる。版管理制御回路５４に送られた基板データは、版管理制御回路５４内に設けられた文字コード生成回路によって文字コードデータに変換され、シリアルインターフェイス６８を介してシステムコントロール回路４２へ送られる（Ｓ１０２）。
【００３９】
ビデオスコープ１０がプロセッサ２０に接続された場合、システムコントロール回路４２内のＲＡＭ６６にはビデオスコープ１０の特性に関するデータが一時的に格納されており、ビデオスコープ１０のスコープデータはシステムコントロール回路４２内において文字コードデータに変換される。版管理制御回路５４から送られてきたヴァージョン情報の文字コードデータとビデオスコープ１０に関する文字データは、キャラクタ信号生成回路６９においてキャラクタ信号に変換され、キャラクタ信号が所定のタイミングでビデオプロセス回路４０へ出力される。その結果、ビデオスコープ１０のスコープ情報、すなわち撮像素子１２の形式あるいはビデオスコープ１０内に設置された回路基板のヴァージョン情報などとともに、プロセッサ２０内の回路基板のヴァージョン情報がモニタ５０に表示される（Ｓ１０３）。
【００４０】
図７に示すように、モニタ５０には、システムコントロール回路４２のヴァージョン情報ＶＤ１、システムコントロール回路４２内のＰＲＯＭ６４のヴァージョン情報、すなわちファームウェアのヴァージョン情報ＶＤ２、ＣＣＤプロセス回路２８のヴァージョン情報ＶＤ３、Ａ／Ｄ変換器３０のヴァージョン情報ＶＤ４などが表示される。また、接続されたビデオスコープ１０に関するスコープ情報ＶＤ５もモニタ５０に表示される。
【００４１】
次に、図８、図９、図１０を用いて、プロセッサ２０が正常に作動せず、操作不可能である場合（以下では、作動不能時という）におけるヴァージョン情報表示処理について説明する。図８は、ヴァージョン情報表示の処理フローを示した図であり、図９は、プロセッサ２０が作動不能時におけるシステムコントロール回路４２および版管理コントローラ４６のブロック図である。図１０は、ヴァージョン情報の表示画面を示した図である。ただし、図９では、回路基板Ｂ１のみ表す。
【００４２】
プロセッサ２０内の回路基板の差し替え等、何らかの理由でプロセッサ２０が作動不能となった場合、電源回路３７からの電源供給の代わりに、電源監視回路５２内の電池５３（図４参照）から版管理制御回路５４およびヴァージョン情報メモリＭ１、Ｍ２・・・・へ電源電圧Ｖｄｃが供給される（図９参照）。基板のヴァージョンを検索するために専用ディスプレイ４７がプロセッサ２０に接続され、版管理専用スイッチ５７が操作されると、ヴァージョン情報表示処理が開始される。
【００４３】
版管理専用スイッチ５７が操作されると、版管理制御回路５４がヴァージョン情報メモリＭ１、Ｍ２、・・・をアクセスし、ヴァージョン情報の基板データが読み出され、版管理制御回路５４へ送られる（Ｓ２０１）。版管理制御回路５４に組み込まれたＬＣＤドライバは、読み出された基板データに基いて専用ディスプレイ４７を駆動する。これにより、ヴァージョン情報が専用ディスプレイ４７に表示される（Ｓ２０２）。ただし、図１０に示すように、プロセッサ２０の作動不能時には、ファームウェアのヴァージョンおよびビデオスコープ１０に関するスコープ情報は表示されない。
【００４４】
このように本実施形態によれば、プロセッサ２０内に設置された回路基板から基板のヴァージョンを示す基板データが版管理制御回路５４へ読み出される。プロセッサ２０が正常に作動する場合には、ビデオスコープ１０の情報とともに基板のヴァージョン情報がモニタ５０に表示される。一方、プロセッサ２０が作動不能の場合には、電池５３によって版管理制御回路５４、ヴァージョン情報メモリＭ１、Ｍ２・・・が作動し、基板データが専用バスＴＢを介して読み出される。そして、専用ディスプレイ４７にヴァージョン情報が表示される。
【００４５】
本実施形態ではＮ枚の回路基板がプロセッサ２０内に設けられているが、プロセッサ２０によって回路基板の枚数は異なる。したがって、各プロセッサ２０に応じてヴァージョン情報を表示すればよい。また、１枚の回路基板にＩＣで構成される回路が複数配設されている場合、各回路のヴァージョン情報を表示させればよい。すなわち、１枚の回路基板に複数の基板データをヴァージョン情報メモリに格納させる構成にしてもよい。なお、ビデオスコープ１０のスコープ情報を表示させない構成にしてもよい。
【００４６】
本実施形態では、キーボード５１の操作に従って基板データをヴァージョン情報から読み出す構成になっているが、プロセッサ２０の電源投入時に基板データを読み出す構成にしてもよい。また、プロセッサ２０が正常に作動しているときにも、専用ディスプレイ４７にヴァージョン情報を表示できる構成にしてもよい。
【００４７】
本実施形態では、プロセッサ２０が正常に作動しているとき、あるいは正常に作動しないときどちらにおいても基板のヴァージョン情報を表示でるように構成されているが、どちらか一方の場合のみヴァージョン情報を表示するように構成してもよい。
【００４８】
【発明の効果】
以上のように本発明によれば、電子内視鏡装置に設けられた回路基板のヴァージョン情報を随時知ることができ、効果的に回路基板の版管理を行うことができる。
【図面の簡単な説明】
【図１】本実施形態である電子内視鏡装置のブロック図である。
【図２】プロセッサ内の回路基板の設置を模式的に示した図である。
【図３】版管理コントローラとシステムコントロール回路の詳細なブロック図である。
【図４】版管理コントローラ内にある電源監視回路のブロック図である。
【図５】プロセッサ正常作動時におけるヴァージョン情報表示処理のフローを示した図である。
【図６】プロセッサ正常作動時における版管理コントローラとシステムコントロール回路のブロック図である。
【図７】プロセッサ正常作動時におけるヴァージョン情報が表示されたモニタの画面を示した図である。
【図８】プロセッサ作動不能時におけるヴァージョン情報表示処理のフローを示した図である。
【図９】プロセッサ作動不能時における版管理コントローラとシステムコントロール回路のブロック図である。
【図１０】プロセッサ作動不能時におけるヴァージョン情報が表示された専用ディスプレイの画面を示した図である。
【符号の説明】
１０    ビデオスコープ
１２    撮像素子
１５    ＥＥＰＲＯＭ（スコープメモリ）
２０    プロセッサ
４２    システムコントロール回路（ヴァージョン情報表示手段）
４６    版管理コントローラ
４７    専用ディスプレイ（表示装置）
５０    モニタ（表示装置）
５２    電源監視回路（非常用電源供給手段／回路）
５３    版管理制御回路（ヴァージョン情報読み出し手段、ヴァージョン情報表示手段）
ＴＢ    専用バス
Ｍ１、Ｍ２、Ｍ３    ヴァージョン情報メモリ
Ｂ１、Ｂ２、Ｂ３    回路基板
【図１】
0004295932.tif 000002
【図２】
0004295932.tif 000003
【図３】
0004295932.tif 000004
【図４】
0004295932.tif 000005
【図５】
0004295932.tif 000006
【図６】
0004295932.tif 000007
【図７】
0004295932.tif 000008
【図８】
0004295932.tif 000009
【図９】
0004295932.tif 000010
【図１０】
0004295932.tif 000011